(57)【特許請求の範囲】
【請求項１】
記憶媒体から画像データを再生する再生手段と、
前記再生手段で再生する前記画像データの再生時間を計測する計測手段と、
前記再生時間を所定時間と比較する比較手段と、
前記再生時間が前記所定時間より長い場合に、前記再生手段で再生された再生画像データに特殊効果処理を施す特殊効果処理手段
とを具備することを特徴とする画像再生装置。
【請求項２】
前記特殊効果処理手段に対して特殊効果の選択及び／または決定を行う操作手段と、前記所定時間より前記再生時間が短い場合に、前記操作手段の操作を制限する操作制限手段とを具備することを特徴とする請求項１に記載の画像再生装置。
【請求項３】
前記操作手段は、前記記憶媒体に記憶された複数の画像データから再生する画像データを選択可能であって、前記比較手段の結果から前記所定時間より再生時間が短い画像データに対してのみ、前記操作制限手段が前記操作手段の操作を制限することを特徴とする請求項２に記載の画像再生装置。
【請求項４】
前記画像データには音声データが含まれ、音声データ共に特殊効果が可能なことを特徴とする請求項１に記載の画像再生装置。
【請求項５】
前記特殊効果処理手段は特殊効果処理を複数選択設定できることを特徴とする請求項１に記載の画像再生装置。
【請求項６】
前記所定時間は、適用される特殊効果処理に応じて設定されることを特徴とする請求項１に記載の画像再生装置。
【請求項７】
前記特殊効果処理がフェード効果を含むことを特徴とする請求項１に記載の画像再生装置。
【請求項８】
前記記憶媒体はランダムアクセスメモリであることを特徴とする請求項１に記載の画像再生装置。
【請求項９】
記憶媒体から動画像を再生する再生手段と、
前記再生手段で再生する前記動画像の長さを計測する計測手段と、
前記動画像から所定の時間間隔で静止画像を抽出し、抽出した複数枚の静止画像を一覧画面にして出力可能な再生処理手段と、
前記所定の時間間隔で静止画像を複数枚抽出する際に必要となるシーンの長さより、前記動画像の長さが短い場合、前記一覧画面の出力を行わないように前記再生処理手段を制御する制御手段
とを備えることを特徴とする画像再生装置。
【請求項１０】
前記再生処理手段を動作させる為の操作を行う操作手段と、前記所定の時間間隔で静止画像を複数枚抽出する際に必要となるシーンの長さより、前記計測手段において計測された前記動画像の長さが短い場合に、前記操作手段における操作を制限する操作制限手段とを具備したことを特徴とする請求項９に記載の画像再生装置。
【請求項１１】
記憶媒体から画像データを再生する再生ステップと、
前記再生ステップで再生される前記画像データの再生時間を計測する計測ステップと、
前記再生時間を所定時間と比較する比較ステップと、
前期比較ステップの結果から、前記再生時間が前記所定時間より長い場合には、前記再生ステップで再生された再生画像データに特殊効果処理を施す特殊効果処理ステップ
とを具備することを特徴とする画像再生方法。
【請求項１２】
前記所定時間は、適用される特殊効果処理に要する時間に応じて設定されることを特徴とする請求項１１に記載の画像再生方法。
【請求項１３】
記憶媒体から動画像を再生する再生ステップと、
前記再生ステップで再生される前記動画像の長さを計測する計測ステップと、
前記動画像から所定の時間間隔で静止画像を抽出し、抽出した複数枚の静止画像を一覧画面にして出力可能な再生処理ステップと、
前記所定の時間間隔で静止画像を複数枚抽出する際に必要となるシーンの長さより、前記動画像の長さが短い場合には、前記一覧画面の出力を行わないように前記再生処理ステップを制御する制御ステップ
とを具備することを特徴とする画像再生方法。
【請求項１４】
記憶媒体から画像データを再生する再生手段と、
前記再生手段で再生する前記画像データの再生時間を所定の時間と比較する比較手段と、
前記再生手段で再生された再生画像データに特殊効果処理を施す特殊効果処理手段と、
前記比較手段における比較結果に応じて、前記画像データの再生時間が前記所定の時間より短いときは前記特殊効果処理手段における動作を無効化する制御手段
とを具備することを特徴とする画像再生装置。
【請求項１５】
前記所定の時間は、前記特殊効果処理手段で実行される特殊効果処理に応じて設定されることを特徴とする請求項１４に記載の画像再生装置。
【請求項１６】
前記特殊効果処理がフェード効果を含むことを特徴とする請求項１４又は１５に記載の画像再生装置。
【請求項１７】
記憶媒体から画像データを再生する再生ステップと、
前記再生ステップで再生する前記画像データの再生時間を所定の時間と比較する比較ステップと、
前記再生ステップで再生された再生画像データに特殊効果処理を施す特殊効果処理ステップと、
前記比較ステップにおける比較結果に応じて、前記画像データの再生時間が前記所定の時間より短いときは前記特殊効果処理ステップにおける動作を無効化する制御ステップ
とを具備することを特徴とする画像再生方法。
【請求項１８】
前記所定の時間は、前記特殊効果処理ステップで実行される特殊効果処理に応じて設定されることを特徴とする請求項１７に記載の画像再生方法。
【請求項１９】
前記特殊効果処理がフェード効果を含むことを特徴とする請求項１７又は１８に記載の画像再生方法。
【発明の詳細な説明】
【０００１】
【発明の属する技術分野】
本発明は、画像再生装置及び画像再生方法に関する。
【０００２】
【従来の技術】
従来、民生用ビデオ機器では、映像効果として、再生画像と全ての音声が徐々に現れるフェードインと、逆に、再生画像と全ての音声が徐々に消えていくフェードアウトがある。また、その他の映像効果として、図２に示すように、動画像を一定時間間隔で静止画として取り込み縮小して、一覧表示する形態のマルチ画面表示機能がある。
【０００３】
【発明が解決しようとする課題】
従来例では、操作者がフェード操作を行う場合、フェードするために要する時間分だけ動画が記録されていないときには、フェード効果が不完全な状態で終了してしまう。
【０００４】
また、動画像を一定時間間隔で静止画として取り込むマルチ画面操作では、マルチ画面を作成可能な時間分だけ動画が記録されていない場合には、不完全なマルチ画面が作成されてしまう。
【０００５】
本出願に係る発明の第一の目的は、フェードするために要する時間分だけ動画が記録されていない場合にはフェード操作を無効として、不完全なフェード効果の動画像としない画像再生装置及び画像再生方法を提示することである。
【０００６】
本出願に係る発明の第二の目的は、動画像を一定間隔で静止画として取り込むマルチ画面操作にて、マルチ画面を作成する時間分だけ動画が記録されていない場合、マルチ画面操作を無効として、不完全なマルチ画面としない画像再生装置及び画像再生方法を提示することである。
【０００７】
【課題を解決するための手段】
本出願に係る画像再生装置は、記憶媒体から画像データを再生する再生手段と、前記再生手段で再生する前記画像データの再生時間を計測する計測手段と、前記再生時間を所定時間と比較する比較手段と、前記再生時間が前記所定時間より長い場合に、前記再生手段で再生された再生画像データに特殊効果処理を施す特殊効果処理手段とを具備することを特徴とする。
【０００８】
本発明に係る画像再生装置はまた、記憶媒体から動画像を再生する再生手段と、前記再生手段で再生する前記動画像の長さを計測する計測手段と、前記動画像から所定の時間間隔で静止画像を抽出し、抽出した複数枚の静止画像を一覧画面にして出力可能な再生処理手段と、前記所定の時間間隔で静止画像を複数枚抽出する際に必要となるシーンの長さより、前記動画像の長さが短い場合、前記一覧画面の出力を行わないように前記再生処理手段を制御する制御手段とを備えることを特徴とする。
本発明に係る画像再生方法は、記憶媒体から画像データを再生する再生ステップと、前記再生ステップで再生される前記画像データの再生時間を計測する計測ステップと、前記再生時間を所定時間と比較する比較ステップと、前期比較ステップの結果から、前記再生時間が前記所定時間より長い場合には、前記再生ステップで再生された再生画像データに特殊効果処理を施す特殊効果処理ステップとを具備することを特徴とする。
本発明に係る画像再生方法は、記憶媒体から動画像を再生する再生ステップと、前記再生ステップで再生される前記動画像の長さを計測する計測ステップと、前記動画像から所定の時間間隔で静止画像を抽出し、抽出した複数枚の静止画像を一覧画面にして出力可能な再生処理ステップと、前記所定の時間間隔で静止画像を複数枚抽出する際に必要となるシーンの長さより、前記動画像の長さが短い場合には、前記一覧画面の出力を行わないように前記再生処理ステップを制御する制御ステップとを具備することを特徴とする。
本発明に係る画像再生装置は、記憶媒体から画像データを再生する再生手段と、前記再生手段で再生する前記画像データの再生時間を所定の時間と比較する比較手段と、前記再生手段で再生された再生画像データに特殊効果処理を施す特殊効果処理手段と、前記比較手段における比較結果に応じて、前記画像データの再生時間が前記所定の時間より短いときは前記特殊効果処理手段における動作を無効化する制御手段とを具備することを特徴とする。
本発明に係る画像再生方法は、記憶媒体から画像データを再生する再生ステップと、前記再生ステップで再生する前記画像データの再生時間を所定の時間と比較する比較ステップと、前記再生ステップで再生された再生画像データに特殊効果処理を施す特殊効果処理ステップと、前記比較ステップにおける比較結果に応じて、前記画像データの再生時間が前記所定の時間より短いときは前記特殊効果処理ステップにおける動作を無効化する制御ステップとを具備することを特徴とする。
【０００９】
【実施例】
以下、図面を参照して、本発明の実施例を詳細に説明する。
【００１０】
図１は、本発明の一実施例の概略構成ブロック図を示す。１０は、音声を含む動画データを記憶する記憶媒体、１２は記憶媒体１０にデータを書き込み、記憶媒体１０からデータを読み出す記憶媒体制御回路、１４はシステム全体を制御するシステム制御回路、１６は操作者が操作する操作装置、１８は記憶媒体制御回路１２からの動画データを所定形式の映像信号に変換し、特殊効果処理を行い、映像信号出力端子２２及びビューファインダ２０に印加する再生信号処理回路である。ビューファインダ２０は、再生信号処理回路１８からの映像信号を画像として表示する。
【００１１】
２４は、記憶媒体１０に記憶する動画を撮像するカメラ、２６は、カメラ２４による撮影画像を記録処理する記録信号処理回路である。記録信号処理回路２６の出力は、記憶媒体制御回路１２を介して記憶媒体１０に書き込まれる。
【００１２】
本実施例の動作を説明する。操作者が、操作装置１６によりフェードイン操作を選択して決定操作を実行すると、システム制御部１４は、記憶媒体制御回路１２を用いて記憶媒体１０に記憶される動画データのサブデータなどを読み出し、動画データの再生時間（動画再生時間）を計測し、フェードイン処理に要する処理時間との比較を行なう。
【００１３】
ここで、本実施の形態におけるフェードインとは、白画（または他画像）から所定時間をかけながらうっすらと再生画像へと表示を切り換えてゆく、特殊効果の手法を意味している。
【００１４】
システム制御回路１４は、動画再生時間がフェードイン動作を行う時間より短い場合、フェードイン操作を無効とする。
【００１５】
動画再生時間がフェードイン動作を行う時間より長い場合、システム制御回路１４は、フェードイン操作を有効とし、再生信号処理回路１８にフェードイン制御を行わせるとともに、記憶媒体制御回路１２に記憶媒体１０に記憶されている動画を再生させる。システム制御回路１４は、フェードイン処理に要する時間の経過後、フェードイン制御をオフするように再生信号処理回路１８に指示して、フェードイン処理を終了させる。
【００１６】
また、操作者が操作装置１６によりフェードアウト操作を選択して決定操作を実行すると、システム制御回路１４は、記憶媒体制御回路１２を用いて記憶媒体１０に記憶される動画データのサブデータなどを読み出し、動画データの再生時間（動画再生時間）を計測し、フェードアウト処理に要する処理時間との比較を行なう。
【００１７】
ここで、本実施の形態におけるフェードアウトとは、再生画像から所定時間をかけながらうっすらと白画（または他画像）へと表示を切り換えてゆく、特殊効果の手法を意味している。
【００１８】
システム制御回路１４は、動画再生時間がフェードアウト動作を行う時間より短い場合、フェードアウト操作を無効とする。
【００１９】
動画再生時間がフェードアウト動作を行う時間より長い場合、システム制御回路１４は、フェードアウト操作を有効とし、動画の再生動作中において再生信号処理回路１８にフェードアウト制御を行わせる。システム制御回路１４は、フェードアウト処理に要する時間の経過後、フェードアウト制御をオフするように再生信号処理回路１８に指示し、記憶媒体制御回路１２に記憶媒体１に記憶されている動画再生を停止させ、フェードアウト処理を終了する。
【００２０】
図３は、本実施例の動作フローチャートを示す。図３の各ステップを説明する。前提として、再生モード等で再生する動画像を選択可能な状態になっているものとする。
【００２１】
ステップＳ１：システム制御回路１４は、ビデオカメラ操作者によって操作装置１６によりフェード操作命令が行われたか検出する。
【００２２】
ステップＳ２：フェード操作命令についてフェードインが選択され決定されたかフェードアウトが選択され決定されたかを判別する。
【００２３】
ステップＳ３：フェードインの場合、システム制御回路１４は、記憶媒体１０に記憶されたフェード命令の選択対象となる動画データ（単数または複数）に対して各々の再生時間を計測する。
【００２４】
ステップＳ４：システム制御回路１４は、動画再生時間がフェード動作を行う時間より短い動画像については、フェードイン操作を無効とする。すなわち、フェードイン処理の実行を行わず、操作装置１６における動画データ（ファイル）の選択を無効にする。
【００２５】
ステップＳ５：動画再生時間がフェード動作を行う時間より長い動画像については、システム制御回路１４は、再生信号処理回路１８に対してフェード制御を行わせる。
【００２６】
ステップＳ６：システム制御回路１４は、ユーザの選択を受け記憶媒体制御回路１２に記憶媒体１０に記憶されている動画を再生させる。
【００２７】
ステップＳ７：システム制御回路１４は、フェード時間分だけフェード制御をオンとするために、フェード時間分のタイマをカウントアップする。
【００２８】
ステップＳ８：システム制御回路１４は、タイマがフェード時間分だけ経過したかどうかを判別する。
【００２９】
ステップＳ９：システム制御回路１４は、再生信号処理回路１８に対してフェード制御をオフする。
【００３０】
ステップＳ１０：フェードアウトの場合、システム制御回路１４は、記憶媒体１０に記憶されたフェード命令の対象となる動画データ（単数または複数）に対して、各々の再生時間を計測する。
【００３１】
ステップＳ１１：システム制御回路１４は、動画再生時間がフェード動作を行う時間より短い場合は、フェードアウト操作を無効とする。すなわち、フェードアウト処理の実行を行わず、操作装置１６における動画データ（ファイル）の選択も無効にする。
【００３２】
ステップＳ１２：動画再生時間がフェード動作を行う時間より長い動画像については、システム制御回路１４は、再生信号処理回路１８に対してフェード制御を行わせる。
【００３３】
ステップＳ１３：システム制御回路１４は、フェード時間分だけフェード制御をオンとするために、フェード時間分のタイマをカウントアップする。
【００３４】
ステップＳ１４：システム制御回路１４は、タイマがフェード時間分だけ経過したかどうかを判別する。
【００３５】
ステップＳ１５：システム制御回路１４は、記憶媒体制御回路１２に動画再生を停止させる。
【００３６】
ステップＳ１６：システム制御回路１４は、再生信号処理回路１８に対してフェード制御のオフを指示する。
【００３７】
以上、説明したように、動画再生時間がフェード時間より短い場合はフェード操作を無効とすることにより、不完全なフェード処理の動画再生を防止できる。
【００３８】
続いて、図２に参照したように、動画再生画像を一定間隔で静止画として取り込み、１画面上に順に配置するマルチ画面機能について説明する。
【００３９】
本実施の形態におけるマルチ画面機能の動作を説明する。操作者が、操作装置１６でマルチ画面操作を選択して決定操作を実行すると、システム制御回路１４は、記憶媒体制御回路１２を用いて記憶媒体１０に記憶される動画データのサブデータ等を読み出し、動画データの再生時間（動画再生時間）を計測し、マルチ画面化の処理に要する時間との比較を行なう。
【００４０】
ここでマルチ画面処理とは、動画中から１画面毎の画像（静止画）を任意の間隔で抽出し、所定数の静止画（図２では９個）を縮小してマルチ表示する再生機能であり、また静止画を抽出する間隔も設定可能であるものとする。
【００４１】
システム制御回路１４は、動画再生時間がマルチ画面動作を行う時間より短い場合、マルチ画面操作を無効とする。
【００４２】
動画データ再生時間がマルチ画面動作を行う時間より長い場合、システム制御回路１４は、マルチ画面操作を有効とし、動画像を一定時間間隔で静止画として取り込んでマルチ画面とするために、再生信号処理回路１８にマルチ画面制御を行わせるとともに、記憶媒体制御回路１２に記憶媒体１０に記憶されている動画を再生させる。また、システム制御回路１４は、所定の画像数分の取り込みを行うと、記憶媒体制御回路１２に記憶媒体１０に記憶されている動画の再生を停止させ、マルチ画面取り込み処理を終了する。
【００４３】
図４は、マルチ画面動作のフローチャートを示す。前提として、再生モード等で再生する動画像を選択可能な状態になっているものとする。
【００４４】
ステップＳ２１：システム制御回路１４は、ビデオカメラ操作者によって操作装置１６によりマルチ画面操作命令が行われたかどうかを検出する。
【００４５】
ステップＳ２２：システム制御回路１４は、記憶媒体１０に記憶されたマルチ画面処理の選択対象となる動画データ（単数または複数）に対して各々の再生時間を計測する。
【００４６】
ステップＳ２３：システム制御回路１４は、動画再生時間がマルチ画面を作成するための再生時間より短い動画像については、マルチ画面操作を無効とする。すなわち、マルチ画面処理の実行を行わず、操作装置１６における動画データ（ファイル）の選択を無効にする。
【００４７】
ステップＳ２４：動画再生時間がマルチ画面処理を行う時間より長い動画像については、システム制御回路１４は、再生信号処理回路１８にマルチ画面制御を行わせる。
【００４８】
ステップＳ２５：システム制御回路１４は、ユーザの選択を受け記憶媒体制御回路１２に記憶媒体１０に記憶されている動画を再生させる。
【００４９】
ステップＳ２６：システム制御回路１４は、マルチ画面動作用に所定の画像数分を取り込む。
【００５０】
ステップＳ２７：システム制御回路１４は、所定の画像数分の取り込みを行うと、記憶媒体制御回路１２に記憶媒体１０に記憶されている動画の再生を停止させる。
【００５１】
以上、説明したように、動画再生時間がマルチ画面動作を行う時間より短い場合にはマルチ画面操作を無効とすることにより、不完全なマルチ画面処理の画像出力を防止できる。
【００５２】
【発明の効果】
以上、説明したように、本発明によれば、動画再生時間がフェード時間より短い場合にフェード操作を無効とすることにより、不完全なフェード処理の動画再生を防止できる。
【００５３】
また、動画再生時間がマルチ画面動作を行う時間より短い場合にマルチ画面操作を無効とすることにより、不完全なマルチ画面処理の画像出力を防止できる。
【図面の簡単な説明】
【図１】  本発明の一実施例の概略構成ブロック図である。
【図２】  マルチ画面動作の画面例である。
【図３】  フェード動作の際のシステム制御回路１４の動作フローチャートである。
【図４】  マルチ画面動作の際のシステム制御回路１４の動作フローチャートである。
【符号の説明】
１０：記憶媒体
１２：記憶媒体制御回路
１４：システム制御回路
１６：操作装置
１８：再生信号処理回路
２０：ビューファインダ
２２：映像信号出力端子
【図１】
0003919534.tif 000002
【図２】
0003919534.tif 000003
【図３】
0003919534.tif 000004
【図４】
0003919534.tif 000005